(57)【要約】      （修正有）【課題】購入後の包丁のアフターサービスを容易に行なえるようにする。【解決手段】刃身４と柄５を着脱可能とした包丁６と、受体８にて挟み結束手段にて結束した取替用の刃身７と、郵送専用封筒９とパンフレット１０と無料サービス券１１とを蓋付きケースに収納し刃身取替可能な包丁セット品２として刃身取替可能な包丁セット品販売１とした上で、使用過程１３と刃身の取替過程１４と郵送準備過程１５と郵送過程１６と再生過程１７と宅配過程１８と使用中の刃身が切れなくなるまで再生刃身を保管しておく再生刃身の保管過程２０との順序で研ぎ直しが出来なくなるまでリサイクルを続けて行くようにしたものである。【選択図】図１
2007330744.tif 000002
【特許請求の範囲】
【請求項１】
覆材にて刃部を覆った刃身と柄が締結具にて着脱可能とした包丁と、覆材にて刃部を覆った刃身を折り曲げた台紙からなる受体にて挟み結束手段にて結束し郵送専用封筒に入れた取替用の刃身と、それに刃身の取替方法と郵送の仕方を説明したパンフレットと無料サービス券とを全て蓋付きケースに収納した刃身取替可能な包丁セット品を刃身取替可能な包丁セット品販売とした上で、刃身取替可能な包丁セット品を購入した購入者が包丁を使用する使用過程と、或る期間使用して切れなくなると、パンフレットを見ながら柄を取り外し刃部を覆材にて覆って刃身のみとし、郵送専用封筒より受体を取り出し結束を外して受体より取替用の刃身を取り出し、取り外した柄を取り付けて使用する刃身の取替過程と、切れなくなった刃身は受体内に入れ結束手段にて結束し、必要事項を記載した郵送専用封筒にサービス券と共に入れる郵送準備過程と、切手を貼りそのままメーカーに郵送する郵送過程と、郵送専用封筒にて受取った刃身を研ぎ直して新品同様にする再生過程と、受体に再生した刃身を入れて結束し次回用の郵送専用封筒と振替用紙を同封し刃身を購入者に返送する宅配過程と、郵送専用封筒を受取った購入者は、交換した取替用の刃身が切れなくなるまでそのまま予備として再生刃身を保管する再生刃身の保管過程との順序で、研ぎ直しが出来なくなるまでリサイクルを続けて行くようにしたことを特徴とする刃身取替可能な包丁のアフターサービス方法。
【発明の詳細な説明】
【技術分野】
【０００１】  本発明は、日常生活に於いて使用する刃身と柄が締結具にて着脱可能とした包丁と、取替用の刃身とを他の付属品と共に蓋付きケースに収納してセット品とした刃身取替可能な包丁のアフターサービス方法に関するものである。
【背景技術】
【０００２】  日常生活の衣食住は人間にとって欠かすことの出来ない必要なものであり、その中で食生活は特に重要なものである。
そして食生活の中で調理に用いる包丁は、工夫や改善によって錆を防ぎ切れ味を保ちながら使い易くなってきている。
又、刃身と柄の固定も、柄に刃身を差し込んだり或は柄を二分し刃身の柄部を両方から挟持し数箇所で鋲打などで固定していた。
【特許文献】
【発明の開示】
【発明が解決しようとする課題】
【０００３】  このように色々と工夫や改善によって使い易くなってきているが、どの場合も包丁が切れなくなると砥石又は市販されている研ぎ器で使用者が自分で研ぐのが普通であり、稀に研ぎに出そうとすると、何処で研ぎ直ししてもらえるのかその場所を探すのに手間が掛かると共に、その場所に包丁を持って行くのに面倒であるなど包丁購入後何時までも切れ味の良い状態で気持ち良く使用する上に於いて非常に不都合を感じていた。
【課題を解決するための手段】
【０００４】  本発明はこのような不都合を解消し、刃身と柄を着脱可能として研ぎ直しが出来なくなるまでリサイクルを続けて行き、常に切れ味の良い包丁として長期間の使用が出来るようにした刃身取替可能な包丁のアフターサービス方法を提供せんとするものである。【０００５】  覆材にて刃部を覆った刃身と柄が締結具にて着脱可能とした包丁と、覆材にて刃部を覆った刃身を折り曲げた台紙からなる受体にて挟み結束手段にて結束し郵送専用封筒に入れた取替用の刃身と、それに刃身の取替方法と郵送の仕方を説明したパンフレットと無料サービス券とを全て蓋付きケースに収納した刃身取替可能な包丁セット品を刃身取替可能な包丁セット品販売とした上で、刃身取替可能な包丁セット品を購入した購入者が包丁を使用する使用過程と、【０００６】  或る期間使用して切れなくなると、パンフレットを見ながら柄を取り外し刃部を覆材にて覆って刃身のみとし、郵送専用封筒より受体を取り出し結束を外して受体より取替用の刃身を取り出し、取り外した柄を取り付けて使用する刃身の取替過程と、
使用して切れなくなった刃身は取替用の刃身を入れていた受体内に入れ結束手段にて結束し、必要事項を記載した郵送専用封筒にサービス券と共に入れる郵送準備過程と、
そして刃身の種類によって郵送料金が異なるので所定の切手を貼りそのままメーカーに郵送する郵送過程と、【０００７】  再生用の郵送専用封筒にて受取った刃身を取り出し研ぎ直して新品同様にする再生過程と、
受体に再生した刃身を入れて結束し次回用の郵送専用封筒と振替用紙を同封し刃身を購入者に返送する宅配過程と、
郵送専用封筒を受取った購入者は、交換した取替用の刃身が切れなくなるまでそのまま予備として再生刃身を保管する再生刃身の保管過程との順序で、研ぎ直しが出来なくなるまでリサイクルを続けて行くようにしたものである。【０００８】  結束手段としては、刃身の柄部に係止穴を刃身用受体に刃身を入れた時係止穴に対応する止穴を穿設し、屈曲可能で強靭な帯紐状の結束具にて係止穴と止穴を結束するようにしたものであるが、必ずしもこれに限定せず刃身用受体内に刃身が確実に収納  されるようにしたものであればどのような方法でも良い。【０００９】  このように刃身取替可能な包丁セット品の販売とした上で、使用過程と刃身の取替過程と郵送準備過程と郵送過程と再生過程と宅配過程と再生刃身の保管過程との順序で研ぎ直しが出来なくなるまでリサイクルを続けて行くようにしたことによって、常に切れ味の良い包丁として長期間の使用が出来るため資源の節約が行なえると共に、受体と刃身が結束手段で結束しているため刃身が受体よりはみ出すことがなく保管及び郵送が安全に行なえ、簡単な要領で再生の手続きが出来、且つ刃身と柄を着脱可能としているため不用となったときにはそれぞれ分別回収が出来環境保全に公害抑制に貢献することが出来、メーカーと顧客との関係をより良くしながら包丁の購入後のアフターサービスを何の問題もなく確実に行なつて行くことが出来る。
【発明の効果】
【００１０】  本発明の請求項１に於いては、刃身取替可能な包丁セット品の販売とした上で、使用過程と刃身の取替過程と郵送準備過程と郵送過程と再生過程と宅配過程と再生刃身の保管過程との順序で研ぎ直しが出来なくなるまでリサイクルを続けて行くようにしたことによって、常に切れ味の良い包丁として長期間の使用が出来ると共に、受体と刃身が結束手段で結束しているため刃身が受体よりはみ出すことがなく保管及び郵送が安全に行なえ、簡単な要領で再生の手続きが出来、且つ刃身と柄を締結具によって着脱可能としているため不用となったときにはそれぞれ分別回収が出来、包丁の購入後のアフターサービスが何の問題もなく確実に行なって行くことが出来るためメーカーと顧客との関係を深めより強く保って行くことが出来、資源の節約による環境保全や公害抑制に貢献することが出来るなど多くの特長があり産業利用上非常に優れた発明である。
【発明を実施するための最良の形態】
【００１１】  覆材にて刃部を覆った刃身と柄が締結具にて着脱可能とした包丁と、覆材にて刃部を覆った刃身を折り曲げた台紙からなる受体にて挟み結束手段にて結束し郵送専用封筒に入れた取替用の刃身と、それに刃身の取替方法と郵送の仕方を説明したパンフレットと無料サービス券とを全て蓋付きケースに収納した刃身取替可能な包丁セット品を刃身取替可能な包丁セット品販売とした上で、刃身取替可能な包丁セット品を購入した購入者が包丁を使用する使用過程と、或る期間使用して切れなくなると、パンフレットを見ながら柄を取り外し刃部を覆材にて覆って刃身のみとし、郵送専用封筒より受体を取り出し結束を外して受体より取替用の刃身を取り出し、取り外した柄を取り付けて使用する刃身の取替過程と、切れなくなった刃身は受体内に入れ結束手段にて結束し、必要事項を記載した郵送専用封筒にサービス券と共に入れる郵送準備過程と、切手を貼りそのままメーカーに郵送する郵送過程と、郵送専用封筒にて受取った刃身を研ぎ直して新品同様にする再生過程と、受体に再生した刃身を入れて結束し次回用の郵送専用封筒と振替用紙を同封し刃身を購入者に返送する宅配過程と、郵送専用封筒を受取った購入者は、交換した取替用の刃身が切れなくなるまでそのまま予備として再生刃身を保管する再生刃身の保管過程との順序で、研ぎ直しが出来なくなるまでリサイクルを続けて行くようにしたものである。
【実施例１】
【００１２】  以下本考案の一実施例を図面について説明する。
図中１は刃身取替可能な包丁セット品２の販売全体を示し、
覆材３にて刃部４ａを覆った刃身４の柄部４ｂと柄５が締結具２４の螺設にて着脱可能とした包丁６と、覆材３にて刃身４と同じ刃部７ａを覆った刃身７を折り曲げた台紙からなる受体８にて挟み結束手段にて結束し郵送専用封筒９に入れた取替用の刃身７と、それに刃身４・７の取替方法と郵送の仕方を説明したパンフレット１０と無料サービス券１１とを全て蓋付きケース１２に収納した刃身取替可能な包丁セット品２を刃身取替可能な包丁セット品販売１するようにしている。【００１３】  １３は使用過程全体を示し、刃身取替可能な包丁セット品２として販売しているのを購入した購入者が刃身取替可能な包丁セット品２内より包丁６を取り出して調理などに使用する。
１４は刃身の取替過程全体を示し、或る期間使用して包丁６が切れなくなると、パンフレット１０を見ながら柄５を取り外し刃部４ａを覆材３にて覆って刃身４のみとし、郵送専用封筒９より受体８を取り出し結束を外して受体８より取替用の刃身７を取り出し締結具２４の螺合にて取り外した使用中の柄５を取り付けて使用する。
１５は郵送準備過程全体を示し、使用して切れなくなった刃身４は取替用の刃身７を入れていた受体８内に入れ結束手段にて結束し、必要事項を記載した郵送専用封筒９にサービス券１１と共に入れて準備する。【００１４】  １６は郵送過程全体を示し、包丁６の種類によって郵送料金が異なるので送料を確認して所定の切手を貼りそのままポストに入れメーカーに郵送する。
１７は再生過程全体を示し、再生用の郵送専用封筒９を受取ったメーカーは、刃身４を取り出し研ぎ直して新品同様に再生する。
１８は宅配過程全体を示し、再生が終ると、新しい受体８ａに再生した刃身４を入れて結束し、前述と同じ要領で次回用の郵送専用封筒９ａと振替用紙１９を同封し刃身４を購入者に返送する。
２０は再生刃身の保管過程全体を示し、郵送専用封筒９ａを受取った購入者は、交換した取替用の刃身７が切れなくなるまでそのまま予備として再生刃身４を保管する。【００１５】  このように使用過程１３・刃身の取替１４・郵送準備１５・郵送１６・再生１７・宅配１８・再生刃身の保管２０の順序で研ぎ直しが出来なくなるまでリサイクルを続けて行くようにしたものである。
結束手段としては、刃身４・７の柄部４ｂ・７ｂの二箇所に係止穴２１を刃身用の受体８に刃身４・７を入れた時係止穴２１に対応する止穴２２を二箇所に穿設し、屈曲可能で強靭な帯紐状の結束具２３にて係止穴２１と止穴２２を結束するようにしたものである。【００１６】  このように刃身取替可能な包丁セット品２の刃身取替可能な包丁セット品販売１とした上で、使用過程１３と刃身の取替過程１４と郵送準備過程１５と郵送過程１６と再生過程１７と宅配過程１８と再生刃身の保管過程２０との順序で研ぎ直しが出来なくなるまでリサイクルを続けて行くようにしたことによって、常に手元には使用出来る切れ味の良い包丁６があり長期間の使用が出来るため資源の節約が行なえる。
又、受体８と刃身４・７が結束手段で結束しているため刃身４・７が受体８よりはみ出すことがなく保管及び郵送が安全に行なえ、パンフレット１０を見ながら簡単な要領で郵送専用封筒９にて郵送し再生の手続きが出来る。
そして刃身４・７と柄５を着脱可能としているため長期間使用して不用となった時には、それぞれ分別回収が出来環境保全に公害抑制に貢献することが出来ると共に、メーカーと顧客との関係をより良くしながら包丁６の購入後のアフターサービスを何の問題もなく確実に行なって行くことが出来る。
【産業上の利用可能性】
【００１７】  刃物及び刃物に属する業界に於いて利用することが出来る。
【図面の簡単な説明】
【００１８】
【図１】    実施例１の過程概要図である
【図２】    実施例１の包丁の一部を破断した正面図である
【図３】    実施例１の郵送準備過程で受体内に刃身を入れて結束した正面図である
【符号の説明】
【００１０】  １    刃身取替可能な包丁セット品販売
２    刃身取替可能な包丁セット品
３    覆材
４    刃身
４ａ  刃部
４ｂ  柄部
５    柄
６    包丁
７    刃身
７ａ  刃部
７ｂ  柄部
８    受体
９    郵送専用封筒
１０    パンフレット
１１    無料サービス券
１２    蓋付きケース
１３    使用過程
１４    刃身の取替過程
１５    郵送準備過程
１６    郵送過程
１７    再生過程
１８    宅配過程
１９    振替用紙
２０    再生刃身の保管過程
２１    係止穴
２２    止穴
２３    結束具
２４    締結具
【図１】
2007330744.tif 000003
【図２】
2007330744.tif 000004
【図３】
2007330744.tif 000005